(57)【要約】【課題】従来のテレビの電子番組データを用いてウェブページの検索する方法では、大量のウェブサイトが検索されてしまう。【解決手段】テレビ放送受信装置１００は、選択された番組の、ジャンル以外のその番組に関するデータから番組キーワードを抽出する番組キーワード抽出部３と、番組のジャンル毎にジャンルキーワードを保持するジャンルキーワード保持部４と、選択された番組のジャンルを認識し、ジャンルキーワード保持部４から、認識したジャンルの一つ又は複数のジャンルキーワードを取得するジャンルキーワード表示制御部５と、抽出された番組キーワードと取得されたジャンルキーワードとに関連するウェブページを検索させる検索制御部７とを有する。【選択図】図１
2011229087.tif 000002
【特許請求の範囲】
【請求項１】
各番組と、この各番組のジャンルを特定するジャンル識別情報を少なくとも含む番組データとを含んで放送されるテレビ放送信号を受信する受信部と、
前記受信部によって受信されたテレビ放送信号に含まれる各番組の映像データを復号して表示装置に映像を表示させる映像表示制御部と、
前記受信部によって受信されたテレビ放送信号に含まれる各番組の中から外部操作に応じて選択された番組の、前記ジャンル識別情報以外の番組データに含まれる文字列から番組キーワードを抽出する番組キーワード抽出部と、
番組のジャンル毎に、一つ又は複数のジャンルキーワードを保持するジャンルキーワード保持部と、
前記受信部によって受信されたテレビ放送信号に含まれる番組データに基づいて、選択された番組が属するジャンルを認識し、前記ジャンルキーワード保持部から、認識したジャンルの一つ又は複数のジャンルキーワードを取得するジャンルキーワード取得部と、
前記番組キーワード抽出部によって抽出された番組キーワードと、前記ジャンルキーワード取得部によって取得されたジャンルキーワードとに関連するウェブページを検索させる検索制御部と
を備えるテレビ放送受信装置。
【請求項２】
更に、
前記ジャンルキーワード取得部によって取得された一つ又は複数のジャンルキーワードを前記表示装置に表示させるジャンルキーワード表示制御部と、
前記表示装置に表示されたジャンルキーワードの中から一つ又は複数のジャンルキーワードを外部操作に応じて選択するジャンルキーワード選択部とを備え、
前記検索制御部は、前記番組キーワード抽出部によって抽出された番組キーワードと、前記ジャンルキーワード選択部によって選択されたジャンルキーワードとに関連するウェブページを検索させる
請求項１に記載のテレビ放送受信装置。
【請求項３】
更に、
番組キーワード抽出部によって抽出された一つ又は複数の番組キーワードを前記表示装置に表示させる番組キーワード表示制御部と、
前記表示装置に表示された番組キーワードの中から一つ又は複数の番組キーワードを外部操作に応じて選択する番組キーワード選択部とを備え、
前記検索制御部は、前記番組キーワード選択部によって選択された番組キーワードと、前記ジャンルキーワードとに関連するウェブページを検索させる
請求項１又は２に記載のテレビ放送受信装置。
【請求項４】
更に、補助キーワードを外部操作に応じて入力する補助キーワード入力部を備え、
前記検索制御部は、前記番組キーワードと、前記ジャンルキーワードと、前記補助キーワード入力部によって入力された補助キーワードとに関連するウェブページを検索させる
請求項１から３のいずれかに記載のテレビ放送受信装置。
【請求項５】
更に、
前記補助キーワード入力部によって入力された補助キーワードを保持する補助キーワード保持部と、
前記補助キーワード保持部によって保持されている一つ又は複数の補助キーワードを前記表示装置に表示させる補助キーワード表示制御部と、
前記表示装置に表示された補助キーワードの中から一つ又は複数の補助キーワードを外部操作に応じて選択する補助キーワード選択部とを備え、
前記検索制御部は、前記番組キーワードと、前記ジャンルキーワードと、前記補助キーワード選択部によって選択された補助キーワードとに関連するウェブページを検索させる
請求項４に記載のテレビ放送受信装置。
【請求項６】
更に、外部操作に基づいて、前記ジャンルキーワード保持部が保持するジャンルキーワードを編集する編集部を備える
請求項１から５のいずれかに記載のテレビ放送受信装置。
【請求項７】
各番組と、この各番組のジャンルを特定するジャンル識別情報を少なくとも含む番組データとを含んで放送されるテレビ放送信号を受信するステップと、
受信したテレビ放送信号に含まれる各番組の映像データを復号して表示装置に映像を表示させるステップと、
受信したテレビ放送信号に含まれる各番組の中から外部操作に応じて選択された番組の、前記ジャンル識別情報以外の番組データに含まれる文字列から番組キーワードを抽出するステップと、
受信したテレビ放送信号に含まれる番組データに基づいて、選択された番組が属するジャンルを認識し、番組のジャンル毎に一つ又は複数のジャンルキーワードを保持するジャンルキーワード保持部から、認識したジャンルの一つ又は複数のジャンルキーワードを取得するステップと、
抽出した番組キーワードと、取得したジャンルキーワードとに関連するウェブページを検索させるステップと
を含む検索制御方法。
【請求項８】
各番組と、この各番組のジャンルを特定するジャンル識別情報を少なくとも含む番組データとを含んで放送されるテレビ放送信号を受信する機能と、
受信したテレビ放送信号に含まれる各番組の映像データを復号して表示装置に映像を表示させる機能と、
受信したテレビ放送信号に含まれる各番組の中から外部操作に応じて選択された番組の、前記ジャンル識別情報以外の番組データに含まれる文字列から番組キーワードを抽出する機能と、
受信したテレビ放送信号に含まれる番組データに基づいて、選択された番組が属するジャンルを認識し、番組のジャンル毎に一つ又は複数のジャンルキーワードを保持するジャンルキーワード保持部から、認識したジャンルの一つ又は複数のジャンルキーワードを取得する機能と、
抽出した番組キーワードと、取得したジャンルキーワードとに関連するウェブページを検索させる機能と
をコンピュータに実現させるためのプログラム。
【請求項９】
各番組と、この各番組の番組データとを含んで放送されるテレビ放送信号を受信する受信部と、
前記受信部によって受信されたテレビ放送信号に含まれる各番組の映像データを復号して表示装置に映像を表示させる映像表示制御部と、
前記受信部によって受信されたテレビ放送信号に含まれる各番組の中から外部操作に応じて選択された番組の番組データに含まれる文字列から番組キーワードを抽出する番組キーワード抽出部と、
補助キーワードを外部操作に応じて入力する補助キーワード入力部と、
前記番組キーワード抽出部によって抽出された番組キーワードと、前記補助キーワード入力部によって入力された補助キーワードとに関連するウェブページを検索させる検索制御部と
を備えるテレビ放送受信装置。
【請求項１０】
更に
前記補助キーワード入力部によって入力された補助キーワードを保持する補助キーワード保持部と、
前記補助キーワード保持部によって保持されている一つ又は複数の補助キーワードを前記表示装置に表示させる補助キーワード表示制御部と、
前記表示装置に表示された補助キーワードの中から一つ又は複数の補助キーワードを外部操作に応じて選択する補助キーワード選択部とを備え、
前記検索制御部は、前記番組キーワード抽出部によって抽出された番組キーワードと、前記補助キーワード選択部によって選択された補助キーワードとに関連するウェブページを検索させる
請求項９に記載のテレビ放送受信装置。
【発明の詳細な説明】
【技術分野】
【０００１】
本発明は、テレビの番組データを用いて検索サイトにウェブページを検索させるテレビ放送受信装置、検索制御方法、及び、プログラムに関する。
【背景技術】
【０００２】
デジタルのテレビ放送信号は、映像データ及び音データに加えて、ユーザが視聴したい番組を見つけられるように、電子番組データを含んでいる。それにともなって、電子番組データを利用して電子番組表（ＥＰＧ）を表示するテレビ放送受信装置が増えている。
【０００３】
他方、インターネット上のウェブサイトにより、放送番組に関する情報、例えば、放送番組の公式ホームページ、出演者の情報、又は、ロケ地等の情報が公開されている。公開される情報には、番組制作者による公式情報から個人が発する情報まで、様々なレベルの情報が含まれている。
【０００４】
このような状況のもと近年では、放送番組を視聴しながら、ＰＣのウェブブラウザで視聴している番組に関する情報を閲覧するユーザが増加している。また、近年のテレビ放送受信装置の中には、ネット接続機能を有するとともに、ウェブブラウザが搭載されているものが存在しており、電子番組データと、インターネット上の放送に関する情報とを連携させる技術が開発されている。例えば、電子番組データから抽出したキーワードをインターネットの検索サイトに送信して、ヒット数の結果をテレビ画面に表示する技術が提案されている（例えば、特許文献１参照）。
【先行技術文献】
【特許文献】
【０００５】
【特許文献１】特開２００４−２３３４５号公報
【発明の概要】
【発明が解決しようとする課題】
【０００６】
しかしながら、従来のテレビの電子番組データを用いてウェブページの検索する方法では、電子番組データから抽出したキーワードだけを検索サイトに送信して検索を実行させるので、大量のウェブサイトが検索されてしまう。そのため、大量の検索結果リストから、ユーザが所望のウェブサイトを見つけて閲覧することは非常に困難である。また、所望のウェブサイトを見つけることに長時間かかる場合がある。
【０００７】
本発明は、ユーザが興味を持った番組に関連するウェブサイトを、簡単な操作で精度よく、更には、件数を絞り込むように検索サイトに検索させる技術を提供することを目的とする。
【課題を解決するための手段】
【０００８】
上記課題を解決し上記目的を達成するために、本発明のテレビ放送受信装置は、各番組と、この各番組のジャンルを特定するジャンル識別情報を少なくとも含む番組データとを含んで放送されるテレビ放送信号を受信する受信部と、前記受信部によって受信されたテレビ放送信号に含まれる各番組の映像データを復号して表示装置に映像を表示させる映像表示制御部と、前記受信部によって受信されたテレビ放送信号に含まれる各番組の中から外部操作に応じて選択された番組の、前記ジャンル識別情報以外の番組データに含まれる文字列から番組キーワードを抽出する番組キーワード抽出部と、番組のジャンル毎に、一つ又は複数のジャンルキーワードを保持するジャンルキーワード保持部と、前記受信部によって受信されたテレビ放送信号に含まれる番組データに基づいて、選択された番組が属するジャンルを認識し、前記ジャンルキーワード保持部から、認識したジャンルの一つ又は複数のジャンルキーワードを取得するジャンルキーワード取得部と、前記番組キーワード抽出部によって抽出された番組キーワードと、前記ジャンルキーワード取得部によって取得されたジャンルキーワードとに関連するウェブページを検索させる検索制御部とを有する。
【０００９】
また、本発明の検索制御方法は、各番組と、この各番組のジャンルを特定するジャンル識別情報を少なくとも含む番組データとを含んで放送されるテレビ放送信号を受信するステップと、受信したテレビ放送信号に含まれる各番組の映像データを復号して表示装置に映像を表示させるステップと、受信したテレビ放送信号に含まれる各番組の中から外部操作に応じて選択された番組の、前記ジャンル識別情報以外の番組データに含まれる文字列から番組キーワードを抽出するステップと、受信したテレビ放送信号に含まれる番組データに基づいて、選択された番組が属するジャンルを認識し、番組のジャンル毎に一つ又は複数のジャンルキーワードを保持するジャンルキーワード保持部から、認識したジャンルの一つ又は複数のジャンルキーワードを取得するステップと、抽出した番組キーワードと、取得したジャンルキーワードとに関連するウェブページを検索させるステップとを含む。
【００１０】
また、本発明のテレビ放送受信装置は、各番組と、この各番組の番組データとを含んで放送されるテレビ放送信号を受信する受信部と、前記受信部によって受信されたテレビ放送信号に含まれる各番組の映像データを復号して表示装置に映像を表示させる映像表示制御部と、前記受信部によって受信されたテレビ放送信号に含まれる各番組の中から外部操作に応じて選択された番組の番組データに含まれる文字列から番組キーワードを抽出する番組キーワード抽出部と、補助キーワードを外部操作に応じて入力する補助キーワード入力部と、前記番組キーワード抽出部によって抽出された番組キーワードと、前記補助キーワード入力部によって入力された補助キーワードとに関連するウェブページを検索させる検索制御部とを有する。
【００１１】
更に、本発明の検索制御方法の各構成要件の機能をコンピュータに実現させるためのプログラムも、本発明の一態様である。
【発明の効果】
【００１２】
本発明によれば、ユーザが興味を持った番組に関連するウェブサイトを、簡単な操作で精度よく、更には、件数を絞り込むように検索サイトに検索させる技術を提供することができる。
【図面の簡単な説明】
【００１３】
【図１】実施の形態１のテレビ放送受信装置の構成図である。
【図２】電子番組データの一例を示す図である。
【図３】図１のジャンルキーワード保持部が保持する、テレビ番組の各ジャンルについて、ジャンルとそれに関連付けられている複数の検索キーワードとの組み合わせを示す一覧表の一例を示す図である。
【図４】表示装置の画面に表示されるジャンルキーワードのリストの一例を示す図である。
【図５】実施の形態１のテレビ放送受信装置の動作の各手順を示すフローチャートである。
【図６】実施の形態２のテレビ放送受信装置の構成図である。
【図７】番組表の一例を示す図である。
【図８】実施の形態３のテレビ放送受信装置の構成図である。
【図９】番組キーワードのリストの一例を示す図である。
【図１０】実施の形態４のテレビ放送受信装置の構成図である。
【図１１】補助キーワードの入力案内の一例を示す図である。
【図１２】実施の形態５のテレビ放送受信装置の構成図である。
【図１３】補助キーワードのリストの一例を示す図である。
【図１４】実施の形態１のテレビ放送受信装置が編集部を有する状況を示す図である。
【図１５】実施の形態６のテレビ放送受信装置の構成図である。
【図１６】表示装置の画面に表示される番組表の一例を示す図である。
【発明を実施するための形態】
【００１４】
以下に、本発明を実施するための形態を図面を参照して説明する。
【００１５】
（実施の形態１）
先ず、実施の形態１のテレビ放送受信装置１００の構成を図１を用いて説明する。図１は、実施の形態１のテレビ放送受信装置１００の構成図である。
【００１６】
図１に示すように、実施の形態１のテレビ放送受信装置１００は、受信部１と、番組データ保持部２と、番組キーワード抽出部３と、ジャンルキーワード保持部４と、ジャンルキーワード表示制御部５と、ジャンルキーワード選択部６と、検索制御部７と、検索結果表示制御部８とを有する。図１には、テレビ放送受信装置１００の外部の装置等として、アンテナ２００、表示装置３００、スピーカ４００、インターネット５００、及び、検索サイト６００も表示されている。検索サイト６００は、与えられた検索キーワードに関連するウェブページを検索するウェブサイトである。
【００１７】
受信部１は、アンテナ２００を介してデジタルのテレビ放送信号を受信する。テレビ放送信号は、各番組について、映像データと、音データと、電子番組データとを含む。電子番組データは、それが関連付けられている番組が属するジャンルを特定するデータと、ジャンル以外のその番組に関するデータとを含む。電子番組データの具体例は、図２を用いて後述する。
【００１８】
また、受信部１には、ユーザが視聴するチャンネルがユーザによって選択され設定される。また、受信部１は、受信したテレビ放送信号から、ユーザによって選択されたチャンネルの映像データを抽出してデコードし、デコードした映像データを表示装置３００に出力してその映像データに対応する映像を表示装置３００に表示させる。また、受信部１は、受信したテレビ放送信号から、ユーザによって選択されたチャンネルの音データを抽出してデコードし、デコードした音データをスピーカ４００に出力してその音データに対応する音をスピーカ４００の外部に出力させる。これにより、ユーザは、自らが選択したチャンネルの番組を視聴する。
【００１９】
更に、受信部１は、受信したテレビ放送信号から、ユーザによって選択されたチャンネルの電子番組データを抽出して番組データ保持部２に格納する。すなわち、受信部１は、受信したテレビ放送信号から、ユーザが選択して視聴中である番組に関連付けられている電子番組データを抽出し、抽出した電子番組データを番組データ保持部２に格納する。
【００２０】
電子番組データを図２を用いて説明する。図２は、テレビ放送信号に含まれる電子番組データの一例を示す図である。電子番組データは、番組毎に存在するデータである。電子番組データは、それが関連付けられている番組が属するジャンルを特定するデータ（ジャンル識別番号）を含む。例えば図２に示すように、電子番組データは、それが関連付けられている番組について、「ジャンル大分類」及び「ジャンル中分類」により特定される、その番組が属するジャンルを特定するデータを含む。それとともに、電子番組データは、「番組名」、「番組内容」、「出演者」、及び「放送時間」等の、ジャンル以外のその番組に関するデータを含む。
【００２１】
図２の電子番組データをより具体的に説明する。図２の電子番組データは、それが関連付けられている番組が属するジャンルが、上位の分類としての「ジャンル大分類」では「０ｘ００（ニュース）」であり、下位の分類としての「ジャンル中分類」では「０ｘ０（定時・総合）」であることを示している。なお、０ｘ００、０ｘ０等はそれぞれのジャンルの種類を識別するための識別番号（識別子）である。また、図２の電子番組データは、それが関連付けられている番組について、「番組名」が「ニュース９時」であり、「番組内容」が「バンクーバーオリンピック  ▽女子フィギュア最新情報！  ▽本日の特集」であり、「出演者」が「田○一郎、青△裕子、二□亜矢」であることを示している。
【００２２】
番組データ保持部２は、受信部１によって格納される電子番組データを保持する。番組キーワード抽出部３は、ユーザによる外部操作に応じて、番組データ保持部２によって保持された電子番組データのジャンル識別情報以外の文字列から番組キーワードを抽出し、抽出した番組キーワードを検索制御部７に出力する。例えば、番組キーワード抽出部３は、番組データ保持部２が図２の電子番組データを保持している場合、番組キーワードとして「ニュース９時」を抽出し、それを検索制御部７に出力する。なお、番組キーワード抽出部３は、電子番組データのジャンル識別情報以外の文字列について形態素解析を行って、助詞及び動詞等を除いて番組キーワードを抽出してもよい。
【００２３】
ジャンルキーワード保持部４は、テレビ番組の各ジャンルについて、ジャンルとそれに関連付けられている一つ又は複数の検索キーワードとの組み合わせを示す一覧表を保持する。例えば、ジャンルキーワード保持部４は、社団法人電波産業会によって策定された地上デジタルテレビジョン放送運用規定において定義されている各ジャンルについて、ジャンルとそれに関連付けられている一つ又は複数の検索キーワードとの組み合わせを示す一覧表を保持する。以下では、各ジャンルに関連付けられている検索キーワードを「ジャンルキーワード」とも記載する。
【００２４】
ジャンルキーワード保持部４が保持する一覧表の一例を図３を用いて説明する。図３は、ジャンルキーワード保持部４が保持する、テレビ番組の各ジャンルについて、ジャンルとそれに関連付けられている一つ又は複数の検索キーワード（ジャンルキーワード）との組み合わせを示す一覧表の一例を示す図である。図３の一覧表は、上位の分類としての「ジャンル大分類」として、「０ｘ００ニュース／報道」及び「０ｘ０１スポーツ」という用語により特定される二つのジャンルが存在していることを示している。また、図３の一覧表は、「ジャンル大分類」の「０ｘ００ニュース／報道」のジャンルについて、下位の分類としての「ジャンル中分類」として、「０ｘ０定時・総合」、「０ｘ１天気」、及び「０ｘ２特集・ドキュメント」という用語により特定される三つのジャンルが存在していることを示している。
【００２５】
更に、図３の一覧表は、「ジャンル中分類」の「０ｘ０定時・総合」という用語により特定されるジャンルと、「速報」、「出演者」、「特集」、「スポーツ」、「政治」、及び「経済」の六つのジャンルキーワードとが関連付けられていることを示している。また、図３の一覧表は、「ジャンル中分類」の「０ｘ１天気」という用語により特定されるジャンルと、「速報」、「出演者」、「地震」、「台風」、及び「特集」の五つのジャンルキーワードとが関連付けられていることを示している。なお、ジャンルキーワード保持部４は、テレビ放送受信装置１００の製造時に、テレビ番組の各ジャンルについての、ジャンルとそれに関連付けられている一つ又は複数の検索キーワード（ジャンルキーワード）との組み合わせを示す一覧表を保持する。
【００２６】
ジャンルキーワード表示制御部５は、番組データ保持部２によって保持されている電子番組データから、視聴中である番組の番組データを取得し、その中に含まれるジャンルを特定するデータに基づいて、表示装置３００によって表示されている番組が属するジャンルを認識する。そして、ジャンルキーワード表示制御部５は、ジャンルキーワード保持部４から、認識したジャンルに関連付けられている全てのジャンルキーワードを取得して表示装置３００に出力し、認識したジャンルに関連付けられているジャンルキーワードのリストを表示装置３００の画面に表示させる。
【００２７】
例えば、ユーザが視聴中の番組の、すなわち、表示装置３００によって表示されている番組の電子番組データが図２に示す電子番組データである場合、ジャンルキーワード表示制御部５は、その番組について、「ジャンル大分類」が「０ｘ００（ニュース）」であって、「ジャンル中分類」が「０ｘ０（定時・総合）」であることを認識する。そして、ジャンルキーワード表示制御部５は、ジャンルキーワード保持部４から、図３の一覧表にしたがって、「ジャンル大分類」が「０ｘ００（ニュース）」であって、「ジャンル中分類」が「０ｘ０（定時・総合）」であるジャンルに関連付けられている全てのジャンルキーワードを取得する。具体的には、ジャンルキーワード表示制御部５は、図３の一覧表にしたがって、ジャンルキーワード保持部４から、「速報」、「出演者」、「特集」、「スポーツ」、「政治」、「経済」をジャンルキーワードとして取得する。ジャンルキーワード表示制御部５は、取得した全てのジャンルキーワードを表示装置３００に出力し、図４に示すように、取得した全てのジャンルキーワードのリストを表示装置３００の画面に表示させる。図４は、表示装置３００の画面３００Ａに表示されるジャンルキーワードのリスト７００の一例を示す図である。図１に戻る。
【００２８】
ジャンルキーワード選択部６は、表示装置３００の画面３００Ａに表示されたジャンルキーワードのリスト７００の中から一つ又は複数のジャンルキーワードをユーザによる外部操作に応じて選択し、選択したジャンルキーワードを検索制御部７に出力する。例えば、ユーザは、リモコンの上下キーを用いて表示装置３００の画面３００Ａに表示されたジャンルキーワードのリスト７００の中から一つ又は複数のジャンルキーワードを選択する。ジャンルキーワード選択部６は、リモコンからの赤外線による信号に基づいて、ユーザが選択したジャンルキーワードを選択し、選択したジャンルキーワードを検索制御部７に出力する。ジャンルキーワードのリストを説明する際に用いた図４では、「スポーツ」の枠に斜線が付されており、それは、ユーザが、視聴しているニュース番組に関連してスポーツの結果を知りたいと考えて、ジャンルキーワードとして「スポーツ」を選択したことを示している。
【００２９】
検索制御部７は、番組キーワード抽出部３から番組キーワードを受け取るとともに、ジャンルキーワード選択部６からジャンルキーワードを受け取り、受け取った番組キーワード及びジャンルキーワードに関連するウェブページを検索させる指示を、インターネット５００を介して検索サイト６００に送信する。例えば、番組キーワード抽出部３が抽出した番組キーワードが「ニュース９時」であって、ジャンルキーワード選択部６が選択したジャンルキーワードが「スポーツ」である場合、検索制御部７は、「ニュース９時」及び「スポーツ」に関連するウェブページを検索させる指示を、インターネット５００を介して検索サイト６００に送信する。
【００３０】
また、検索制御部７は、検索サイト６００によって行われた検索結果を、インターネット５００を介して検索サイト６００から受信して検索結果表示制御部８に出力する。検索結果表示制御部８は、検索制御部７から検索サイト６００によって行われた検索結果を受け取って表示装置３００に出力し、検索結果を表示装置３００の画面に表示させる。検索結果は、例えば、番組キーワード及びジャンルキーワードに関連するウェブページのリストである。
【００３１】
次に、実施の形態１のテレビ放送受信装置１００の動作を図５を用いて説明する。図５は、実施の形態１のテレビ放送受信装置１００の動作の各手順を示すフローチャートである。
【００３２】
受信部１には、デジタルのテレビ放送信号を受信し、ユーザが視聴するチャンネルがユーザによって選択され設定される（Ｓ１）。次に、受信部１は、受信したテレビ放送信号から、ユーザによって選択されたチャンネルの映像データを抽出してデコードし、デコードした映像データを表示装置３００に出力してその映像データに対応する映像を表示装置３００に表示させる（Ｓ２）。それとともに、受信部１は、受信したテレビ放送信号から、ユーザによって選択されたチャンネルの音データを抽出してデコードし、デコードした音データをスピーカ４００に出力してその音データに対応する音をスピーカ４００の外部に出力させる（Ｓ２）。
【００３３】
次に、受信部１は、受信したテレビ放送信号から、ユーザによって選択されたチャンネルの電子番組データを抽出して番組データ保持部２に格納し、番組データ保持部２は電子番組データを保持する（Ｓ３）。番組キーワード抽出部３は、番組データ保持部２によって保持された電子番組データから、ジャンル以外の予め決められた事項のデータを番組キーワードとして抽出し、抽出した番組キーワードを検索制御部７に出力する（Ｓ４）。
【００３４】
次に、ジャンルキーワード表示制御部５は、番組データ保持部２によって保持されている電子番組データの中の、その電子番組データに関連付けられている番組が属するジャンルを特定するデータ（ジャンル識別番号）に基づいて、表示装置３００によって表示されている映像を含む番組が属するジャンルを認識する。すなわち、ジャンルキーワード表示制御部５は、番組データ保持部２によって保持されている電子番組データに基づいて、ユーザが選択して視聴している番組が属するジャンルを認識する。そして、ジャンルキーワード表示制御部５は、ジャンルキーワード保持部４から、認識したジャンルに関連付けられている全てのジャンルキーワードを取得して表示装置３００に出力し、認識したジャンルに関連付けられているジャンルキーワードのリストを表示装置３００の画面に表示させる（Ｓ５）。
【００３５】
ジャンルキーワード選択部６は、表示装置３００の画面によって表示されたジャンルキーワードのリストの中から一つ又は複数のジャンルキーワードをユーザによる外部操作に応じて選択し、選択したジャンルキーワードを検索制御部７に出力する（Ｓ６）。
【００３６】
検索制御部７は、番組キーワード抽出部３から番組キーワードを受け取るとともに、ジャンルキーワード選択部６からジャンルキーワードを受け取り、受け取った番組キーワード及びジャンルキーワードに関連するウェブページを検索させる指示を、インターネット５００を介して検索サイト６００に送信する（Ｓ７）。
【００３７】
検索サイト６００は、検索制御部７からの番組キーワード及びジャンルキーワードに関連するウェブページを検索させる指示を受信し、それら番組キーワード及びジャンルキーワードに関連するウェブページを検索し、検索結果をインターネット５００を介して検索制御部７に送信する。
【００３８】
検索制御部７は、検索サイト６００によって行われた検索結果を、インターネット５００を介して検索サイト６００から受信して検索結果表示制御部８に出力する（Ｓ８）。検索結果表示制御部８は、検索制御部７から検索サイト６００によって行われた検索結果を受け取って表示装置３００に出力し、検索結果を表示装置３００の画面に表示させる（Ｓ９）。
【００３９】
上述したように、実施の形態１のテレビ放送受信装置１００は、ユーザが視聴している番組に関連付けられている電子番組データから、ユーザによる外部操作に応じて番組キーワードを抽出する。また、テレビ放送受信装置１００は、ユーザが視聴している番組が属するジャンルに予め関連付けられているジャンルキーワードの中から、一つ又は複数のジャンルキーワードをユーザによる外部操作に応じて選択する。そして、テレビ放送受信装置１００は、抽出した番組キーワードに関連するとともに、選択したジャンルキーワードに関連するウェブページを検索サイト６００に検索させる。最後に、テレビ放送受信装置１００は、検索サイト６００から検索結果を受信して表示装置３００に表示させる。
【００４０】
これにより、番組キーワードのみを用いて検索させる場合に比べて、ジャンルキーワードをも利用させることによりヒット件数を少なくすることができ、ユーザは絞り込まれた件数の検索結果を視認することができる。また、テレビ放送受信装置１００は、ユーザが選択することができる一つ又は複数のジャンルキーワードをユーザに提供するので、ユーザは、視聴中の番組のジャンルに関連付けられているジャンルキーワードを文字を入力することなく選択することができる。また、ユーザは、選択したジャンルキーワードを利用させることにより、視聴中の番組に関連するウェブページのヒット件数の絞り込みを検索サイト６００に行わせることができる。その結果、ユーザは、期待する検索結果を得ることができる。
【００４１】
（実施の形態２）
次に、実施の形態２のテレビ放送受信装置１０１を図６を用いて説明する。図６は、実施の形態２のテレビ放送受信装置１０１の構成図である。
【００４２】
図６に示すように、実施の形態２のテレビ放送受信装置１０１は、実施の形態１のテレビ放送受信装置１００が有する全て部の構成部を有し、更に、番組表表示制御部２１と、番組選択部２２とを有する。実施の形態２のテレビ放送受信装置１０１が番組表表示制御部２１及び番組選択部２２を有する点が、実施の形態１のテレビ放送受信装置１００と実施の形態２のテレビ放送受信装置１０１との主な相違点である。以下では、実施の形態１との相違点を中心に、実施の形態２のテレビ放送受信装置１０１を説明する。
【００４３】
まず、番組データ保持部２が保持する電子番組データは、番組表を含む。番組表を図７を用いて説明する。図７は、番組表の一例を示す図である。図７の番組表は、垂直軸に放送時間が時刻順に配置され、垂直軸に放送局の名称が配置されたグリッド式番組表である。図６に戻る。
【００４４】
番組表表示制御部２１は、ユーザの指示に基づいて、番組データ保持部２から電子番組データを取得して保持し、電子番組データから番組表を抽出して表示装置３００に出力し、表示装置３００の画面に番組表を表示させる。
【００４５】
番組表が表示装置３００の画面に表示されると、ユーザは、例えばリモコンの上下左右キーにより、番組表に含まれるいずれか一つの番組を選択する。番組選択部２２は、例えばリモコンからの赤外線による信号に基づいて、表示装置３００の画面に表示された番組表の中からいずれか一つの番組を選択し、選択した番組を特定する情報（以下、「番組特定情報」と記載する。）を番組キーワード抽出部３及び番組表表示制御部２１に出力する。すなわち、番組選択部２２は、ユーザによって選択された番組を特定する番組特定情報を番組キーワード抽出部３及び番組表表示制御部２１に出力する。なお、図７の番組表では、「ニュース９時」の枠に斜線が付されており、それは、ユーザによって選択された番組が「ニュース９時」という番組名を有する番組であることを示している。図６に戻る。
【００４６】
番組キーワード抽出部３は、番組選択部２２から番組特定情報を受け取ると、ユーザによる外部操作に応じて、番組データ保持部２によって保持された電子番組データのジャンル識別情報以外の文字から番組キーワードを抽出し、抽出した番組キーワードを検索制御部７に出力する。例えば、番組特定情報によって特定される番組に関連付けられている電子番組データが図２の電子番組データである場合、番組キーワード抽出部３は、番組キーワードとして「ニュース９時」を抽出し、それを検索制御部７に出力する。
【００４７】
また、番組表表示制御部２１が番組選択部２２から番組特定情報を受け取ると、ジャンルキーワード表示制御部５は、番組表表示制御部２１が保持している電子番組データの中の、番組特定情報によって特定される番組が属するジャンルを特定するデータに基づいて、その番組が属するジャンルを認識する。そして、ジャンルキーワード表示制御部５は、ジャンルキーワード保持部４から、認識したジャンルに関連付けられている全てのジャンルキーワードを取得して表示装置３００に出力し、認識したジャンルに関連付けられているジャンルキーワードのリストを表示装置３００の画面に表示させる。
【００４８】
例えば、番組特定情報によって特定される番組に関連付けられている電子番組データが図２の電子番組データである場合、ジャンルキーワード表示制御部５は、その番組について、「ジャンル大分類」が「０ｘ００（ニュース）」であって、「ジャンル中分類」が「０ｘ０（定時・総合）」であることを認識する。そして、ジャンルキーワード表示制御部５は、図３の一覧表にしたがって、ジャンルキーワード保持部４から、「ジャンル大分類」が「０ｘ００（ニュース）」であって、「ジャンル中分類」が「０ｘ０（定時・総合）」であるジャンルに関連付けられている全てのジャンルキーワードとして、「速報」、「出演者」、「特集」、「スポーツ」、「政治」、「経済」を取得して表示装置３００に出力する。表示装置３００は、ジャンルキーワード表示制御部５からジャンルキーワードを取得し、図７に示すように、取得した全てのジャンルキーワードのリスト７００を番組表の上に重ねて表示する。図７は、表示装置３００の画面に表示されるジャンルキーワードのリスト７００の一例を示す図でもある。図６に戻る。
【００４９】
そうすると、実施の形態１と同様に、ジャンルキーワード選択部６は、表示装置３００の画面に表示されたジャンルキーワードのリストの中から一つ又は複数のジャンルキーワードをユーザによる外部操作に応じて選択し、選択したジャンルキーワードを検索制御部７に出力する。すなわち、ジャンルキーワード選択部６は、ユーザによって選択されたジャンルキーワードを検索制御部７に出力する。なお、図７では、ジャンルキーワードのリストの「スポーツ」の枠に斜線が付されており、それは、ユーザによって選択されたジャンルキーワードが「スポーツ」であることを示している。図６に戻る。
【００５０】
検索制御部７は、番組キーワード抽出部３から番組キーワードを受け取るとともに、ジャンルキーワード選択部６からジャンルキーワードを受け取り、受け取った番組キーワード及びジャンルキーワードに関連するウェブページを検索させる指示を、インターネット５００を介して検索サイト６００に送信する。そして、検索制御部７は、検索サイト６００によって行われた検索結果を、インターネット５００を介して検索サイト６００から受信して検索結果表示制御部８に出力する。検索結果表示制御部８は、検索制御部７から検索サイト６００によって行われた検索結果を受け取って表示装置３００に出力し、検索結果を表示装置３００の画面に表示させる。
【００５１】
上述したように、実施の形態２のテレビ放送受信装置１０１は、番組表の中のユーザによって選択された番組に関連付けられている電子番組データから、ユーザによる外部操作に応じて番組キーワードを抽出する。また、テレビ放送受信装置１０１は、番組表の中のユーザによって選択された番組が属するジャンルに予め関連付けられているジャンルキーワードの中から、一つ又は複数のジャンルキーワードをユーザによる外部操作に応じて選択する。そして、テレビ放送受信装置１０１は、抽出した番組キーワードに関連するとともに、選択したジャンルキーワードに関連するウェブページを検索サイト６００に検索させる。最後に、テレビ放送受信装置１０１は、検索サイト６００から検索結果を受信して表示装置３００に表示させる。
【００５２】
これにより、実施の形態１と同様に、番組キーワードのみを用いて検索させる場合に比べて、ジャンルキーワードをも利用させることによりヒット件数を少なくすることができ、ユーザは絞り込まれた件数の検索結果を視認することができる。また、ユーザは、番組表の中の自身が選択した番組のジャンルに関連付けられているジャンルキーワードを文字を入力することなく選択することができる。また、ユーザは、選択したジャンルキーワードを利用させることにより、選択した番組に関連するウェブページのヒット件数の絞り込みを検索サイト６００に行わせることができる。その結果、ユーザは、期待する検索結果を得ることができる。
【００５３】
（実施の形態３）
次に、実施の形態３のテレビ放送受信装置１０２を図８を用いて説明する。図８は、実施の形態３のテレビ放送受信装置１０２の構成図である。
【００５４】
図８に示すように、実施の形態３のテレビ放送受信装置１０２は、実施の形態１のテレビ放送受信装置１００が有する全ての構成部を有し、更に、番組キーワード表示制御部３１と、番組キーワード選択部３２とを有する。実施の形態３のテレビ放送受信装置１０２が番組キーワード表示制御部３１及び番組キーワード選択部３２を有する点が、実施の形態１のテレビ放送受信装置１００と実施の形態３のテレビ放送受信装置１０２との主な相違点である。以下では、実施の形態１との相違点を中心に、実施の形態３のテレビ放送受信装置１０２を説明する。
【００５５】
実施の形態１では、番組キーワード抽出部３は、番組データ保持部２によって保持された電子番組データから、ユーザによる外部操作に応じて番組キーワードを抽出する。
【００５６】
それに対して実施の形態３では、番組キーワード抽出部３は、番組データ保持部２によって保持された電子番組データから、ジャンル以外の全ての事項のデータを番組キーワードとして抽出する。例えば、番組データ保持部２が図２の電子番組データを保持している場合、番組キーワード抽出部３は、番組データ保持部２から、番組キーワードとして、「ニュース９時」、「バンクーバーオリンピック」、「女子フィギュア」、「本日の特集」、「田○一郎」、「青△裕子」、及び、「二□亜矢」を抽出する。
【００５７】
番組キーワード表示制御部３１は、番組キーワード抽出部３によって抽出された全ての番組キーワードを取得して表示装置３００に出力し、抽出された全ての番組キーワードのリストを表示装置３００の画面に表示させる。例えば、番組キーワード抽出部３によって抽出された全ての番組キーワードが、「ニュース９時」、「バンクーバーオリンピック」、「女子フィギュア」、「本日の特集」、「田○一郎」、「青△裕子」、及び、「二□亜矢」である場合、番組キーワード表示制御部３１は、図９に示すように、それら抽出された全ての番組キーワードのリスト８００を表示装置３００の画面３００Ａに表示させる。図９は、表示装置３００の画面３００Ａに表示される番組キーワードのリスト８００の一例を示す図である。
【００５８】
番組キーワード選択部３２は、表示装置３００の画面３００Ａに表示された番組キーワードのリスト８００の中から一つ又は複数のジャンルキーワードをユーザによる外部操作に応じて選択し、選択したジャンルキーワードを検索制御部７に出力する。例えば、ユーザは、リモコンの上下キーを用いて表示装置３００の画面３００Ａに表示された番組キーワードのリスト８００の中から一つ又は複数の番組キーワードを選択する。番組キーワード選択部３２は、リモコンからの赤外線による信号に基づいて、ユーザが選択した番組キーワードを選択し、選択した番組キーワードを検索制御部７に出力する。図９では、「バンクーバーオリンピック」の枠に斜線が付されており、それは、ユーザによって選択された番組キーワードが「バンクーバーオリンピック」であることを示している。
【００５９】
検索制御部７は、ジャンルキーワード選択部６からジャンルキーワードを受け取るとともに、番組キーワード選択部３２から、ユーザによって選択された番組キーワードを受け取り、受け取ったジャンルキーワード及び番組キーワードに関連するウェブページを検索させる指示を、インターネット５００を介して検索サイト６００に送信する。例えば、ジャンルキーワード選択部６から受け取ったジャンルキーワードが「スポーツ」であって、番組キーワード選択部３２から受け取った番組キーワードが「バンクーバーオリンピック」である場合、検索制御部７は、「スポーツ」及び「バンクーバーオリンピック」に関連するウェブページを検索させる指示を、インターネット５００を介して検索サイト６００に送信する。
【００６０】
そして、検索制御部７は、検索サイト６００によって行われた検索結果を、インターネット５００を介して検索サイト６００から受信して検索結果表示制御部８に出力する。検索結果表示制御部８は、検索制御部７から検索サイト６００によって行われた検索結果を受け取って表示装置３００に出力し、検索結果を表示装置３００の画面に表示させる。
【００６１】
上述したように、実施の形態３のテレビ放送受信装置１０２は、電子番組データから一つ又は複数の番組キーワードを抽出して表示装置３００に表示させ、それら一つ又は複数の番組キーワードの中から一つ又は複数の番組キーワードをユーザによる外部操作に応じて選択する。そして、テレビ放送受信装置１０２は、選択したジャンルキーワードに関連するとともに、選択した番組キーワードに関連するウェブページを検索サイト６００に検索させる。最後に、テレビ放送受信装置１００は、検索サイト６００から検索結果を受信して表示装置３００に表示させる。
【００６２】
このように、テレビ放送受信装置１０２は、ユーザが選択することができる一つ又は複数の番組キーワードをユーザに提示し、提示した番組キーワードの中からユーザによって選択された番組キーワードを選択する。これにより、実施の形態３の検索の自由度は、実施の形態１のそれよりも高くなる。
【００６３】
なお、番組キーワード表示制御部３１及び番組キーワード選択部３２は、実施の形態２のテレビ放送受信装置１０１に設けられてもよい。
【００６４】
（実施の形態４）
次に、実施の形態４のテレビ放送受信装置１０３を図１０を用いて説明する。図１０は、実施の形態４のテレビ放送受信装置１０３の構成図である。
【００６５】
図１０に示すように、実施の形態４のテレビ放送受信装置１０３は、実施の形態１のテレビ放送受信装置１００が有する全ての構成部を有し、更に、補助キーワード設定部４１を有する。実施の形態４のテレビ放送受信装置１０３が補助キーワード設定部４１を有する点が、実施の形態１のテレビ放送受信装置１００と実施の形態４のテレビ放送受信装置１０３との主な相違点である。以下では、実施の形態１との相違点を中心に、実施の形態４のテレビ放送受信装置１０３を説明する。
【００６６】
補助キーワード設定部４１は、図示されていない文字入力部と文字列受付部とを有している。ユーザは、文字入力部を用いて、番組キーワード及びジャンルキーワードとは別の補助キーワードとなる文字列をテレビ放送受信装置１０３に入力する。文字入力部は、例えばリモコンである。補助キーワード設定部４１は、図１１に示すように、補助キーワードの入力案内を表示装置３００に表示させ、ユーザは、文字入力部を用いて入力欄に文字列を入力する。図１１は、補助キーワードの入力案内９００の一例を示す図であって、入力欄９０１に補助キーワードとなる文字列「公式サイト」が入力されている状況を示している。
【００６７】
補助キーワード設定部４１の文字列受付部は、ユーザが文字入力部を用いて入力した文字列を受け付ける。補助キーワード設定部４１は、文字列受付部により受け付けた文字列を補助キーワードとして検索制御部７に出力する。なお、補助キーワード設定部４１は、本発明のテレビ放送受信装置の補助キーワード入力部の一例である。
【００６８】
検索制御部７は、番組キーワード抽出部３から番組キーワードを受け取り、ジャンルキーワード選択部６からジャンルキーワードを受け取り、更に、補助キーワード設定部４１から補助キーワードを受け取る。検索制御部７は、受け取った番組キーワード、ジャンルキーワード、及び、補助キーワードに関連するウェブページを検索させる指示を、インターネット５００を介して検索サイト６００に送信する。そして、検索制御部７は、検索サイト６００によって行われた検索結果を、インターネット５００を介して検索サイト６００から受信して検索結果表示制御部８に出力する。検索結果表示制御部８は、検索制御部７から検索サイト６００によって行われた検索結果を受け取って表示装置３００に出力し、検索結果を表示装置３００の画面に表示させる。
【００６９】
上述したように、実施の形態４のテレビ放送受信装置１０３は、ユーザが入力した補助キーワードを受け付け、番組キーワード、ジャンルキーワード、及び、補助キーワードに関連するウェブページを検索サイト６００に検索させ、検索結果を表示装置３００に表示させる。
【００７０】
このように、テレビ放送受信装置１０３は、ユーザが入力した補助キーワードを受け付けてそれを用いて検索させるので、実施の形態４のヒット件数は実施の形態１より少なくなる。また、検索の自由度は、実施の形態１のそれよりも高くなる。
【００７１】
なお、補助キーワード設定部４１は、実施の形態２のテレビ放送受信装置１０１に設けられてもよいし、実施の形態３のテレビ放送受信装置１０２に設けられてもよい。
【００７２】
（実施の形態５）
次に、実施の形態５のテレビ放送受信装置１０４を図１２を用いて説明する。図１２は、実施の形態５のテレビ放送受信装置１０４の構成図である。
【００７３】
図１２に示すように、実施の形態５のテレビ放送受信装置１０４は、実施の形態４のテレビ放送受信装置１０３が有する全ての構成部を有し、更に、補助キーワード保持部５１と、補助キーワード表示制御部５２と、補助キーワード選択部５３とを有する。実施の形態５のテレビ放送受信装置１０４が補助キーワード保持部５１、補助キーワード表示制御部５２、及び補助キーワード選択部５３を有する点が、実施の形態４のテレビ放送受信装置１０３と実施の形態５のテレビ放送受信装置１０４との主な相違点である。以下では、実施の形態４との相違点を中心に、実施の形態５のテレビ放送受信装置１０４を説明する。
【００７４】
補助キーワード保持部５１は、ユーザが補助キーワード設定部４１の文字列受付部が受け付けた補助キーワードを保持する。すなわち、補助キーワード保持部５１は、ユーザが入力した補助キーワードを保持する。
【００７５】
補助キーワード表示制御部５２は、補助キーワード保持部５１が保持した一つ又は複数の補助キーワードが保持した後に、ユーザの指示にしたがって、補助キーワード保持部５１から補助キーワード保持部５１によって保持されている全ての補助キーワードを取得する。そして、補助キーワード表示制御部５２は、取得した全ての補助キーワードを表示装置３００に出力し、全ての補助キーワードのリストを表示装置３００の画面に表示させる。例えば、補助キーワード保持部５１が補助キーワードとして「出演者」、「公式サイト」、「動画」、「音楽」、及び、「写真」を保持している場合、補助キーワード表示制御部５２は、図１３に示すような補助キーワードのリスト１０００を表示装置３００の画面３００Ａに表示させる。図１３は、補助キーワードのリスト１０００の一例を示す図である。
【００７６】
補助キーワード選択部５３は、表示装置３００の画面３００Ａに表示された補助キーワードのリスト１０００の中から、一つ又は複数の補助キーワードをユーザによる外部操作に応じて選択し、選択した補助キーワードを検索制御部７に出力する。なお、図１３では、「公式サイト」の枠に斜線が付されており、それは、ユーザによって選択された補助キーワードが「公式サイト」であることを示している。
【００７７】
検索制御部７は、番組キーワード抽出部３から番組キーワードを受け取り、ジャンルキーワード選択部６からジャンルキーワードを受け取り、更に、補助キーワード選択部５３から補助キーワードを受け取る。検索制御部７は、受け取った番組キーワード、ジャンルキーワード、及び、補助キーワードに関連するウェブページを検索させる指示を、インターネット５００を介して検索サイト６００に送信する。そして、検索制御部７は、検索サイト６００によって行われた検索結果を、インターネット５００を介して検索サイト６００から受信して検索結果表示制御部８に出力する。検索結果表示制御部８は、検索制御部７から検索サイト６００によって行われた検索結果を受け取って表示装置３００に出力し、検索結果を表示装置３００の画面に表示させる。
【００７８】
上述したように、実施の形態５のテレビ放送受信装置１０４は、ユーザが入力した補助キーワードを受け付けて保持し、その後に、保持した補助キーワードを表示装置３００の画面に表示させ、ユーザによって選択された一つ又は複数の補助キーワードを選択する。そして、テレビ放送受信装置１０４は、選択した補助キーワードと、番組キーワードと、ジャンルキーワードとに関連するウェブページを検索サイト６００に検索させ、検索結果を表示装置３００に表示させる。
【００７９】
このように、テレビ放送受信装置１０４はユーザが入力した補助キーワードを受け付けて保持する。そのため、ユーザは、所望の補助キーワードを一度入力すると、その後は入力操作を行うことなく所望の補助キーワードを選択することができ、選択した補助キーワードを用いて検索させることができる。
【００８０】
なお、上述した各実施の形態では、ジャンルキーワード選択部６は、表示装置３００によって表示されたジャンルキーワードのリストの中から、一つ又は複数のジャンルキーワードをユーザによる外部操作に応じて選択し、選択したジャンルキーワードを検索制御部７に出力する。しかしながら、ジャンルキーワード選択部６は、一つ又は複数のジャンルキーワードを選択しなくてもよい。
【００８１】
その場合、例えば、ジャンルキーワード表示制御部５は、ジャンルキーワード保持部４から、ユーザが現在視聴中の番組のジャンルに関連付けられている全てのジャンルキーワードを取得して検索制御部７に出力する。この場合も、ユーザに文字を入力させることなく、ユーザが視聴している番組のジャンルに関連付けられているジャンルキーワードを利用させることにより、ヒット件数を少なくすることができる。また、ジャンルキーワードのリストを表示させるステップと、ユーザからのジャンルキーワードの選択を受け付けるステップとが不要になるので、テレビ放送受信装置は検索結果をより早く取得することができる。その効果は、例えば、ユーザが視聴している番組のジャンルに関連付けられているジャンルキーワードが一つしか存在しない場合に顕著となる。なお、ジャンルキーワード表示制御部５は、本発明のテレビ放送受信装置のジャンルキーワード取得部の一例である。
【００８２】
また、上述した各実施の形態のテレビ放送受信装置は、ジャンルキーワード保持部４によって保持されるジャンルキーワードをユーザの指示に基づいて編集するための編集部を有してもよい。図１４は、実施の形態１のテレビ放送受信装置１００が編集部６５を有する状況を示す図である。編集には、ジャンルキーワードの追加、削除、及び変更等が含まれる。ユーザは、編集部６５を用いてジャンルキーワードを編集することにより、より高い自由度で検索を実行させることができる。
【００８３】
（実施の形態６）
次に、実施の形態６のテレビ放送受信装置１１０の構成を図１５を用いて説明する。図１５は、実施の形態６のテレビ放送受信装置１１０の構成図である。
【００８４】
図１５に示すように、実施の形態６のテレビ放送受信装置１１０は、受信部１と、番組データ保持部２と、番組キーワード抽出部３と、補助キーワード設定部４１と、補助キーワード保持部５１と、補助キーワード表示制御部５２と、補助キーワード選択部５３と、検索制御部７と、検索結果表示制御部８とを有する。図１５には、テレビ放送受信装置１１０の外部の装置等として、アンテナ２００、表示装置３００、スピーカ４００、インターネット５００、及び、検索サイト６００も表示されている。
【００８５】
実施の形態６のテレビ放送受信装置１１０の番組キーワード抽出部３及び検索制御部７以外の各構成部は、実施の形態１、実施の形態４、及び、実施の形態５それぞれにおいて説明した機能を有する。
【００８６】
番組キーワード抽出部３は、ユーザによる外部操作に応じて、番組データ保持部２によって保持された電子番組データのジャンル識別情報以外の文字列から番組キーワードを抽出する。
【００８７】
検索制御部７は、番組キーワード抽出部３から番組キーワードを受け取るとともに、補助キーワード選択部５３から補助キーワードを受け取り、受け取った番組キーワード及び補助キーワードに関連するウェブページを検索させる指示を、インターネット５００を介して検索サイト６００に送信する。そして、検索制御部７は、検索サイト６００によって行われた検索結果を、インターネット５００を介して検索サイト６００から受信して検索結果表示制御部８に出力する。検索結果表示制御部８は、検索制御部７から検索サイト６００によって行われた検索結果を受け取って表示装置３００に出力し、検索結果を表示装置３００の画面に表示させる。
【００８８】
上述したように、実施の形態６のテレビ放送受信装置１１０は、ユーザが入力した補助キーワードを受け付け、番組キーワード及び補助キーワードに関連するウェブページを検索サイト６００に検索させ、検索結果を表示装置３００に表示させる。このように、テレビ放送受信装置１１０は、ユーザが入力した補助キーワードを受け付けるので、番組キーワードのみを用いて検索させる場合に比べて、ヒット件数を少なくすることができ、ユーザは絞り込まれた件数の検索結果を視認することができる。また、テレビ放送受信装置１１０は、ユーザが入力した補助キーワードを受け付けて保持する。そのため、ユーザは、所望の補助キーワードを一度入力すると、その後は入力操作を行うことなく所望の補助キーワードを選択するだけで補助キーワードを用いて検索させることができる。
【００８９】
なお、検索制御部７は、補助キーワード選択部５３から補助キーワードを受け取るのではなく、補助キーワード設定部４１から補助キーワードを受け取ってもよい。その場合、検索制御部７は、番組キーワード抽出部３から受け取った番組キーワードと、補助キーワード設定部４１から受け取った補助キーワードとに関連するウェブページを検索させる指示を検索サイト６００に送信する。
【００９０】
ところで、図１６では、補助キーワードのリスト１０００が番組表の上に表示されている。また、「公式サイト」の枠に斜線が付されており、それは、ユーザによって選択された補助キーワードが「公式サイト」であることを示している。ユーザによって選択された補助キーワードは、補助キーワード選択部５３によって選択される。
【００９１】
なお、上述した実施の形態５及び実施の形態６のテレビ放送受信装置の補助キーワード設定部４１は、ユーザの指示に基づいて、補助キーワード保持部５１によって保持される補助キーワードを編集する機能を有していてもよい。編集には、補助キーワードの削除及び変更等が含まれる。ユーザは、補助キーワードを編集することにより、より高い自由度で検索を実行させることができる。補助キーワード設定部４１は、本発明のテレビ放送受信装置の編集部の一例でもある。
【００９２】
また、実施の形態６のテレビ放送受信装置は、実施の形態３において説明した番組キーワード表示制御部３１と、番組キーワード選択部３２とを有してもよい。その場合、番組キーワード抽出部３は、番組データ保持部２によって保持された電子番組データから、選択された番組に関する全ての事項のデータを番組キーワードとして抽出する。番組キーワード表示制御部３１は、番組キーワード抽出部３によって抽出された全ての番組キーワードを取得して表示装置３００に出力し、抽出された全ての番組キーワードのリストを表示装置３００の画面に表示させる。番組キーワード選択部３２は、表示装置３００の画面に表示された番組キーワードのリストの中から、一つ又は複数のジャンルキーワードをユーザによる外部操作に応じて選択し、選択したジャンルキーワードを検索制御部７に出力する。検索制御部７は、番組キーワード選択部３２によって選択された番組キーワードと、補助キーワード選択部５３又は補助キーワード設定部４１からの補助キーワード補助キーワードとに関連するウェブページを検索させる指示を検索サイト６００に送信する。
【００９３】
なお、上述した各実施の形態のテレビ放送受信装置の各構成部の機能は、例えばコンピュータのＣＰＵ（プロセッサ）及びメモリ等のハードウェアと、その機能を実現するためのコンピュータプログラムとが協働することによって実現される。しかしながら、上記各機能は、専用の回路により実現される等、どのような形態により実現されてもよい。また、各実施の形態の実施の形態のテレビ放送受信装置の各構成部の機能を実現するためのコンピュータプログラムは、記録媒体に格納されてもよい。
【符号の説明】
【００９４】
１００  テレビ放送受信装置、  １  受信部、  ２  番組データ保持部、  ３  番組キーワード抽出部、  ４  ジャンルキーワード保持部、  ５  ジャンルキーワード表示制御部、  ６  ジャンルキーワード選択部、  ７  検索制御部、  ８  検索結果表示制御部、  ２００  アンテナ、  ３００  表示装置、  ４００  スピーカ、  ５００  インターネット、  ６００  検索サイト。
【図１】
2011229087.tif 000003
【図２】
2011229087.tif 000004
【図３】
2011229087.tif 000005
【図４】
2011229087.tif 000006
【図５】
2011229087.tif 000007
【図６】
2011229087.tif 000008
【図７】
2011229087.tif 000009
【図８】
2011229087.tif 000010
【図９】
2011229087.tif 000011
【図１０】
2011229087.tif 000012
【図１１】
2011229087.tif 000013
【図１２】
2011229087.tif 000014
【図１３】
2011229087.tif 000015
【図１４】
2011229087.tif 000016
【図１５】
2011229087.tif 000017
【図１６】
2011229087.tif 000018